(57)【要約】【課題】  排泄物を見ることなく且つ簡単な取扱方で排泄物を廃棄することができるペットの排泄物処理具を提供すること。【解決手段】  排泄物処理具１０は、前方の排泄物取入用開口部１４と後方の排泄物廃棄用開口部１６とを連通した中空ケース１２を含んでいる。中空ケース１２は、前後の開口部の中間位置において、中空ケース１２内に挿入された収納袋２４を絞るフラップ２８を備えている。収納袋内に取り込まれた排泄物は、その収納袋２４を収納袋ストッパ４０から外して中空ケース１２を傾けることで、排泄物廃棄用開口部１６からごみ箱等に捨てることができる。【選択図】  図１
2005058169.tif 000002
【特許請求の範囲】
【請求項１】
長手方向の一端に形成された排泄物取入用開口部と長手方向の他端に形成された排泄物廃棄用開口部を備え、長手方向に貫通した中空ケース；及び
前記中空ケースの排泄物取入用開口部の外周側に設けられた収納袋ストッパ；
を備えた、ペットの排泄物処理具。
【請求項２】
前記排泄物取入用開口部と前記排泄物廃棄用開口部との間のケース中空部分において、解放姿勢と閉鎖姿勢との間を変位するフラップを備えた、請求項１記載のペットの排泄物処理具。
【請求項３】
前記フラップが、中空ケースの上面裏面近傍の水平軸の周りで当該水平軸より後方で揺動可能なプレート状フラップであり、
前記プレート状フラップは、前記中空ケースの底面に当接することにより揺動を阻止される、請求項２記載のペットの排泄物処理具。
【請求項４】
前記収納袋ストッパは、中空ケース裏面で袋体を挟み込む底部挟挿片と、中空ケース上面で袋体を挟み込む上部挟挿片より構成されており、前記排泄物取入用開口部の先端より前記底部挟挿片の先端が後方に位置する、請求項１記載のペットの排泄物処理具。
【請求項５】
前記収納袋ストッパは、中空ケース外面に設けられた突起である、請求項１記載のペットの排泄物処理具。
【発明の詳細な説明】
【技術分野】
【０００１】
本発明は、ペットの排泄物処理具に関する。より詳細には、本発明は、処理具それ自体を汚さずに排泄物を処理することができ、さらには、持運びに便利であり、排泄物の臭いの漏れだしを少なくできるように構成したペットの排泄物処理具に関する。
【背景技術】
【０００２】
従来のペットの排泄物処理具では、排泄物取入用開口部を開閉可能に構成し、ケース内に排泄物を取り込んだ後、蓋で開口部を閉鎖できるように構成されている（例えば、特許文献１）。
他のペットの排泄物処理具では、排泄物取入用開口部を備えたケースにビニール袋を挿入し、開口部の周囲をビニール袋が覆うことができるように構成されている（例えば、特許文献２）。
【特許文献１】特開２００３−９７０９号公報
【特許文献２】特開２０００−２３６７６８号公報
【発明の開示】
【発明が解決しようとする課題】
【０００３】
ところが、従来のペットの排泄物処理具は、排泄物を取り入ることに工夫が集中しており、取り込んだ後に排泄物をどのように廃棄するかまで考慮はされていない。特許文献１記載のペットの排泄物処理具では、ケースそのもの自体に排泄物を取り入るため、その後、排泄物を廃棄するとなると、ケース内に道具を差し入れて掻き出さなければならない。このようなペットの排泄物処理具では、ケース自体が汚れることになり実用的でない。また、排泄物を廃棄するときにもその排泄物を見なければならず、取り扱いに不快感を伴う。
【０００４】
特許文献２記載のペットの排泄物処理具は、排泄物取入用開口部にビニール袋を取り付けることができるが、排泄物を廃棄するには、その排泄物を見なければならず、特許文献１記載のペットの排泄物処理具と同様に、排泄物廃棄時の取り扱いに不快感を伴う。
【０００５】
本発明の目的は、ケースを汚すことなくペットの排泄物をケース内に取り入れることができ、しかも、排泄物を見ることなく且つ簡単な取扱方で排泄物を廃棄することができるペットの排泄物処理具を提供することにある。
本発明の他の目的は、ケース内で排泄物を安定させて持運びができるペットの排泄物処理具を提供することにある。
本発明のさらに他の目的は、排泄物の臭いの漏れだしを少なくしたペットの排泄物処理具を提供することにある。
【課題を解決するための手段】
【０００６】
本発明は、第一に、長手方向の一端に形成された排泄物取入用開口部と長手方向の他端に形成された排泄物廃棄用開口部を備え、長手方向に貫通した中空ケース；及び
前記中空ケースの排泄物取入用開口部の外周側に設けられた収納袋ストッパ；を備えた、ペットの排泄物処理具により前記課題を解決した。
【０００７】
本発明の排泄物処理具は、収納袋との組合せで使用される。収納袋は、専用の袋の場合と、小売店で持ち帰り用に使用されている汎用のビニール袋でもよい。専用の袋の構成及び使用の仕方、及び、汎用ビニール袋の構成及び使用の仕方については後述する。
収納袋は、排泄物取入用開口部又は排泄物廃棄用開口部から中空ケース内に挿入される。好ましくは、収納袋は、排泄物処理具前方の排泄物取入用開口部から中空ケース内に挿入される。
収納袋ストッパは排泄物取入用開口部の形に倣わせて収納袋を固定するための構成要素である。収納袋ストッパは、好ましくは、排泄物取入用開口部を囲繞するように収納袋を固定できるようになっている。収納袋が排泄物取入用開口部に倣って、又は、収納袋が排泄物取入用開口部を囲繞するので、排泄物を中空ケース内に取り入れる際、収納袋は汚れるが、処理具自体が汚れることはない。
【０００８】
排泄物は収納袋に取り入れられた後、排泄物取入用開口部を囲繞する収納袋が収納袋ストッパから取り外される。その後、排泄物廃棄用開口部が下に向くように処理具を傾けると、排泄物の重みで収納袋は貫通する中空ケース内を滑って排泄物廃棄用開口部から抜け出る。このように、収納袋を収納袋ストッパから外すだけで、排泄物が入った収納袋を捨てることができ、排泄物が入った収納袋を取り出したり、持運んだりする等の不快な取扱を行うことなく、排泄物を捨てることができる。
この際、収納袋の開口を結ぶ等して、排泄物が外に出てこないようにしたり、排泄物の臭いが漏れださないようにしたりしておくことが好ましい。
【発明を実施するための最良の形態】
【０００９】
本発明による好適な排泄物処理具は、排泄物取入用開口部と排泄物廃棄用開口部との間のケース中空部分において、解放姿勢と閉鎖姿勢との間を変位するフラップを備えている。
【００１０】
この排泄物処理具では、使用者によってフラップが変位させられる。フラップは、ケース中空部分で解放姿勢と閉鎖姿勢との間を変位する。中空ケースには収納袋が挿入されているので、フラップが解放姿勢から閉鎖姿勢に変位すると、収納袋はフラップによって長手方向の途中で絞られて前後に仕切られる。例えば、排泄物処理具を傾けるなどして、収納袋の中でフラップより後方に排泄物を移動させ、その後、フラップを閉鎖姿勢に変位させると、排泄物が収納袋の底部側に収納された状態でフラップによって収納袋の開口が閉鎖される。この状態では、排泄物を取り入れたまま排泄物処理具を持ち運んでも、排泄物が収納袋から逆戻りすることもない。また、排泄物の臭いもフラップによって漏れだすことが少なくなるので、不快感を少なくすることができる。
【００１１】
フラップは、扉を開閉するような揺動タイプでも、シャッターを開閉するようなスライダタイプでもよい。好ましくは、フラップは、中空ケースの上面裏面近傍の水平軸の周りで水平軸より後方で揺動可能なプレート状フラップであり、そのプレート状フラップは、中空ケースの底面に当接することにより揺動を阻止されている。
フラップは水平軸より後方で揺動するので、解放姿勢ではフラップの先端が排泄物処理具の後方に向って延び、収納袋を中空ケース内に挿入する際にもその収納袋はフラップに引っ掛かることなくスムースに挿入される。
一方、閉鎖姿勢ではフラップの先端が中空ケースの底面に当接する。逆戻りする方向の排泄物は収納袋の中からフラップをさらに揺動させようと作用する。このとき、フラップは底面に当接するのでそれ以上は揺動できず、持運びの際に排泄物が排泄物処理具から飛び出すようなこともない。
【００１２】
なお、スライダタイプのフラップの例として、中空ケースの上面に横方向のスリットを設け、そのスリットから底部に向って進退する可撓性のシャッターを設けたものがある。
また、他のフラップの例として、排泄物廃棄用開口部に向って垂直軸周りを観音開きする左右一対のフラップを採用してもよい。
【００１３】
フラップは、ロック機構とともに設けられていることが好ましい。ロック機構は、フラップを解放姿勢及び／又は閉鎖姿勢に固定するために設けられる。ロック機構は、例えば、フラップをばねで付勢して解放姿勢及び／又は閉鎖姿勢に固定するタイプと、フラップを中空ケースにスナップフィットさせて解放姿勢及び／又は閉鎖姿勢に固定するタイプなどがある。
ロック機構を採用することにより、ペットの排泄物処理具の持運び時にロック機構がフラップを所定の姿勢に強制的に維持するので、臭いが漏れだすこと及び排泄物が逆戻りすることを確実に阻止して不快感を除去することができる。
【００１４】
本発明のペットの排泄物処理具との組合せで使用される専用袋は、排泄物取入用開口部の形状に適合した開口部を備えている。専用袋は、例えば、排泄物取入用開口部の底縁と左右一対の側縁に対応する部位に芯紙（厚紙）が接着や溶着により取り付けられており、排泄物取入用開口部の上縁に対応する部位に可撓性の厚肉片が接着や溶着により取り付けられている。
【００１５】
このような専用袋に対応して、ペットの排泄物処理具の収納袋ストッパは、中空ケース裏面で袋体を挟み込む底部挟挿片と、中空ケース上面で袋体を挟み込む上部挟挿片より構成され、排泄物取入用開口部の先端より底部挟挿片の先端が後方に位置している。
専用袋は、その開口部が排泄物取入用開口部で折り返され、専用袋の底縁芯紙が底部挟挿片で挟まれる。また、専用袋の上縁厚肉片が上部挟挿片で挟まれる。専用袋を開口部で折り返して、底縁と上縁をそれぞれ挟挿片で挟むことにより、排泄物を中空ケース内に取り入れる際には、フラップを変位させても、持運び中においても専用袋が外れるようなことがなくなる。
また、排泄物取入用開口部の先端より底部挟挿片の先端が後方に位置しているので、排泄物処理具を地面において排泄物を取り入れる際、専用袋だけが地面に接し、処理具自体（特に、底部挟挿片）に排泄物が付着しにくくなる。
【００１６】
本発明では、ペットの排泄物処理具との組合せで使用される汎用袋として、小売店で使用されているビニール袋を想定している。このような汎用袋に対応して、ペットの排泄物処理具の収納袋ストッパは、中空ケース外面に設けられた突起として設けられている。
好ましくは、突起は、中空ケースの左右外面に設けられている。汎用袋を排泄物取入用開口部で折り返して、汎用袋の一対の持ち手をそれぞれの突起に引っ掛けることで、汎用袋は排泄物を取り入れる状態となる。排泄物を取り出すには、汎用袋の持ち手を突起から外し、汎用袋の開口部を結ぶ等して閉鎖し、排泄物処理具を後に傾けると、排泄物は汎用袋とともに排泄物廃棄用開口部から排出される。
【００１７】
本発明は、排泄物廃棄用開口部から収納袋を排出させる構成とすることにより、排泄物を見ることなく且つ簡単な取扱方で排泄物を廃棄することができる。
また、本発明は、フラップを設け、さらに、ロック機構を設けることにより、ケース内で排泄物を安定させて持運びすることができるとともに、排泄物の臭いの漏れだしを少なくすることができる。
【実施例１】
【００１８】
以下、図面を参照して本発明によるペットの排泄物処理具の一実施例を説明する。図１は、本発明によるペットの排泄物処理具の第１実施例を示す分解斜視図である。
処理具１０は、中空ケース１２を主要構成要素として備えている。中空ケース１２は、有色又は無色の透明又は不透明の樹脂製であり、断面矩形の中空形状である。中空ケース１２は、前方の排泄物取入用開口部１４と後方の排泄物廃棄用開口部１６とを備えている。排泄物取入用開口部１４と排泄物廃棄用開口部１６は、中空ケース１２内で連通している。中空ケース１２は底部が平坦であり、地面に置いたときに排泄物を中空ケース１２内に取り入れやすく構成されている。排泄物取入用開口部１４は、底部が前方に突き出た後傾の開口部であり、使用者が排泄物を取り入れる際に、上縁が邪魔にならない構成となっている。排泄物廃棄用開口部１６は、長手方向に直角な開口部であるが、前傾又は後傾に構成されていてもよい。
【００１９】
ペットの排泄物処理具１０は、必要に応じて、スコップ１８、前蓋２０、後蓋２２を備えている。また、処理具１０は、収納袋２４との組合せて使用される。図１記載の収納袋２４は、専用袋として構成され、中空ケース１２に挿入及び取付けられる。
スコップ１８は、排泄物取入用開口部１４に適合する形状の平坦な掬い部１８ａと、掬い部１８ａにつながる持ち手部１８ｂより構成されている。排泄物取入用開口部１４の上部中央には、中空ケース１２外面に左右一対のクリップ２６が設けられている。スコップ１８の持ち手部１８ｂをクリップ２６に挟むことにより、スコップ１８を中空ケース１２と一体に持運びすることができる。
前蓋２０は、排泄物取入用開口部１４の外面に適合する形状の皿状であり、クリップ２６との干渉を避ける切欠２０ａを備えている。スコップ１８に重ねるようにして排泄物取入用開口部１４に嵌合させることにより、その前蓋２０を中空ケース１２と一体に持運びすることができる。前蓋２０は、スコップ１８と反対側の面に左右開閉可能な扉２０ｂ，２０ｂを備えている。これにより、前蓋２０は、ティッシュ等を収納可能に構成されている。
後蓋２２は、排泄物廃棄用開口部１６の外面に適合する形状の皿状である。排泄物廃棄用開口部１６に嵌合させることにより、その後蓋２２を中空ケース１２と一体に持運びすることができる。
【００２０】
次に、中空ケース１２の構成を詳細に説明する。中空ケース１２は、内部にフラップ２８を備えている。フラップ２８は、排泄物取入用開口部１４より内部に僅かに入った上部裏面の水平回転軸周りで揺動可能に構成されている。排泄物取入用開口部１４付近に水平回転軸を設けることにより、内部空間を大きく確保することができる。水平回転軸は、実際に軸が取付けられていてもよく、塑性ヒンジのようにフラップ２８を「く」の字状に折り曲げたものでもよい。
揺動するフラップ２８は、その幅が中空ケース１２の内部幅より僅かに狭いが、長さは中空ケース１２の内部高さより長い。中空ケース１２の上部裏面の水平回転軸を中心に後に向ってフラップ２８を設けることで、そのフラップ２８は、先端が排泄物廃棄用開口部１６側に向う状態で、解放姿勢と閉鎖姿勢との間を変位する。したがって、フラップ２８は９０°未満の角度範囲でしか揺動することができず、排泄物取入用開口部１４に向って回転しようとするときは、中空ケース１２の底部によってそれ以上の回転を阻止されている。
【００２１】
中空ケース１２にはロック機構３０が設けられている。ロック機構３０は、フラップ２８を解放姿勢と閉鎖姿勢に保持する。図１の排泄物処理具１０のロック機構３０はコイルばねである。
コイルばね３０は、一端がフラップ２８の背面中央に取付けられ、他端が中空ケース１２の上部隅部に取付けられている。コイルばね３０は、一端が首を振るように構成されており、フラップ解放姿勢にあるときはフラップ２８を中空ケース上面に付勢し、フラップ閉鎖姿勢にあるときはフラップ２８を底面に向って付勢する。
【００２２】
中空ケース１２には上面に把手３２が取付けられている。把手３２は、排泄物処理具１０を持ち運ぶためのものであるが、矩形中空状に構成されており、内部に可撓性のロッド３４又はワイヤが挿入されている。ロッド３４は、一端がフラップ２８の背面に取付けられ、他端がスライダ３６に取付けられている。
スライダ３６を前後に操作することにより、フラップ２８は解放姿勢から閉鎖姿勢に、又は、閉鎖姿勢から解放姿勢に変位する。コイルばね３０は、フラップ２８の解放姿勢と閉鎖姿勢の中間位置で最も屈曲するので、スライダ３６を途中まで操作すると、コイルばね３０の作用によりフラップ２８は解放姿勢又は閉鎖姿勢に押し付けられる。
【００２３】
図２は、図１の排泄物処理具１０との組合せで使用される収納袋２４の一例を示している。図２の収納袋２４は、排泄物処理具１０用に設計された専用品であり、芯紙３６とビニール袋３８より構成される。芯紙３６は、中空ケース１２の底部に適合する略矩形の底部芯紙３６ａと、中空ケース１２の側部に適合する左右一対の側部芯紙３６ｂより構成される。
底部芯紙３６ａは、中空ケース１２の約半分の長さであり、収納袋２４を中空ケース１２内に挿入するガイドとして機能する。そのため、幅が漸減する先端を備え、底部芯紙３６ａを持って収納袋２４を中空ケース１２内に挿入すると、収納袋２４が容易に中空ケース１２内に進入する。
底部芯紙３６ａの排泄物取入用開口部１４側には、折り目で自由に屈曲可能な折り返し片３６ｃが繋がっている。この折り返し片３６ｃは後述する収納袋ストッパに差し込まれる。
【００２４】
一対の側部芯紙３６ｂは、底部芯紙３６ａの両側縁と折り目で屈曲可能に繋がっており、それぞれが略等脚台形をしている。側部芯紙３６ｂの高さは中空ケース１２の内部高さより僅かに低い。また、側部芯紙３６ｂの前方の斜辺は、排泄物取入用開口部１４と適合する形状である。
ビニール袋３８は、底部芯紙３６ａと側部芯紙３６ｂを外から囲繞するように接着等で固定されている。また、ビニール袋３８は、排泄物取入用開口部１４の上縁に相当し、左右一対の側部芯紙３６ｂの上辺を跨ぐ部位に肉厚部３８ａを備えている。肉厚部３８ａはビニール袋３８と一体であるが、自由に屈曲可能である。この肉厚部３８ａは後述する収納袋ストッパに差し込まれる。
【００２５】
側部芯紙３６ｂを起立させ、底部芯紙３６ａを持って専用袋２４を中空ケース１２に挿入すると、専用袋２４の開口部は排泄物取入用開口部１４と略一致する状態となる。
図３に示されるように、中空ケース１２底部には、専用袋２４を所定位置に保持する収納袋ストッパ４０が設けられている。この収納袋ストッパ４０は、中空ケース１２底面において前方に延びる挟挿片であり、折り返し片３６ｃを底面との間で挟むように構成されている。専用袋２４を中空ケース１２内に挿入し、折り返し片３６ｃを底面と挟挿片４０との間に差し込むことにより、専用袋２４は中空ケース１２に固定保持される。また、収納袋ストッパ４０は、中空ケース１２の上面にも設けられており、上面側では肉厚部３８ａを挟み込む。収納袋ストッパ４０が上下で専用袋２４を挟み込むことにより、専用袋２４を所定位置に保持する。
【００２６】
底面側の挟挿片４０は、排泄物取入用開口部１４の先端より後方に位置している。もっとも、折り返し片３６ｃを挟み込むことができるように、後方にずらせた長さは折り返し片３６ｃよりも短い。こうすることにより、地面に接地するのが専用袋２４であり、中空ケース１２自体が地面に接地することがない。したがって、排泄物が中空ケース１２に付着することもなく衛生的である。
【００２７】
図４乃至図６は、収納袋２４を挿入して、排泄物を取り込み、フラップ２８を変位させるまでの操作を説明する図である。
把手３２のスライダ３６を後退させた状態では、ロック機構のコイルばね３０は、フラップ２８を中空ケース１２上面に付勢しており、そのフラップ２８は中空ケース１２上面に近接する解放姿勢にある。
次いで、専用袋２４が排泄物取入用開口部１４から中空ケース１２内に挿入される。専用袋２４は底部芯紙３６ａがガイドとなって、奥深くまで挿入される。このとき、フラップ２８は後傾しており、専用袋２４がフラップ２８に引っ掛かることもなく、また、コイルばね３０がフラップ２８の背面に位置するので専用袋２４がコイルばね３０に引っ掛かることもない。
図２のように、専用袋２４の折り返し片３６ｃを底部挟挿片４０に挿入するとともに、専用袋２４の肉厚部３８ａを上部挟挿片に挿入すると、専用袋２４は排泄物取入用開口部１４の形状に適合して排泄物処理具１０に取付けられる。
【００２８】
そして、図５に示されるように、スコップ１８等を利用して排泄物が中空ケース１２の専用袋２４内に取り込まれる。このとき、排泄物取入用開口部１４の底部は専用袋２４で折り返されており、排泄物処理具１０を地面に付けても、排泄物が中空ケース１２自体に付着することがない。
この状態では、フラップ２８は解放姿勢にあり、取り込まれた排泄物が外に飛び出したり、排泄物の臭いが外に漏れだしたりすることがある。
【００２９】
次いで、図６に示されるように、スライダ３６が前進操作され、フラップ２８が閉鎖姿勢に変位する。専用袋２４は中間位置でフラップ２８により絞り込まれる。ロック機構のコイルばね３０は、フラップ２８の先端を底部に向って付勢する。フラップ２８は、中空ケース１２の高さより長いので、専用袋２４の上から底部に当接する。
この状態では、排泄物が排泄物取入用開口部１４から出ようとしても、フラップ２８を閉じる方向に押し込むので持運び中に排泄物が中空ケース１２から飛び出すことがなくなる。ペット自身に排泄物処理具１０を加えさせても安心して持ちかえることができる。
また、コイルばね３０の作用によりフラップ２８が専用袋２４の中間位置を絞り込むので、排泄物の臭いが外に漏れだすことも少なく、嗅覚を刺激する不快臭を抑えることもできる。
【００３０】
排泄物を廃棄するには、専用袋２４の折り返し片３６ｃ及び肉厚部３８ａを収納袋ストッパ４０から外し、スライダ３６を後退させてフラップ２８を解放姿勢に復帰させると、中空ケース１２後方の排泄物廃棄用開口部１６から排泄物を専用袋２４ごとゴミ箱等に捨てることができる。専用袋２４及び排泄物を入れた方向と同じ方向に排出することができるので、排泄物を捨てるときに、その排泄物が専用袋２４から飛び出したり、排泄物を見たりすることもなくなる。すなわち、後方の排泄物廃棄用開口部１６をごみ箱に向けて傾斜させるだけで、不快感を伴うことなく排泄物を処理することができる。
【実施例２】
【００３１】
図７は、ロック機構の他の形態を示す実施例である。本実施例の排泄物処理具１００では、コイルばね及びスライダの代わりのロック機構が採用されている。このロック機構１３０は、中空ケース１１２の少なくとも一方の側面に形成された円弧状のスリット１３０ａを含んでなる。スリット１３０は、上死点及び下死点に絞り部分を備えている。
フラップ１２８は、中空ケース１１２の外側にスリット１３０を通じて突出するピン１２８ａを備えている。使用者は、このピン１２８ａをスリット１３０に沿って移動させることでフラップ１２８を解放姿勢と閉鎖姿勢に変位させることができる。絞り部分は、ピン１２８ａを上死点及び下死点に保持する。
なお、絞り部分を設ける代わりに、ピン１２８ａに引っ掛かるフックやスライダを採用してロック機構を構成してもよい。
【実施例３】
【００３２】
図８は、フラップの他の形態を示す実施例である。本実施例の排泄物処理具２００では、フラップ２２８が可撓性プレートよりなるスライダである。中空ケース２１２は、上面にスリットを備えており、フラップ２２８がスリットを介して中空ケース２１２内に進退できるようになっている。中空ケース２１２は、上面において左右一対のガイド２１２ａを備えており、フラップ２２８が上面とガイドとの間で変位方向を規制されている。使用者は、フラップ２２８を前進させると、その先端が中空ケース２１２の底部に向って入り込み、既に挿入されている収納袋の中間位置を絞り込む。
本実施例では、可撓性プレートのフラップ２２８を採用しており、ガイドとの摩擦力によりフラップ２２８は所定の位置又は姿勢に保持される、したがって、必ずしもロック機構は必要でないが、別途、ロック機構を設けてもよい。
【００３３】
また、本実施例では、ベルト状又は紐状の把手２３２が中空ケース２１２外側面前方近くのピンに回転自在に取付けられており、持運び時に自重によって排泄物取入用開口部が上を向くようになっている。このような把手２３２を採用することにより、取り込んだ排泄物が飛び出すこともなく、また、スライダタイプのフラップ２２８の操作時に把手が邪魔になることもない。
【実施例４】
【００３４】
図９は収納袋ストッパの他の形態を示す実施例である。本実施例の排泄物処理具３００では、専用袋ではなく、小売店で持ち帰り用に使用されている汎用のビニール袋を使用できるように構成されている。
排泄物処理具３００は、中空ケース３１２の左右外側面に後方に指向する突起状の収納袋ストッパ３４０を備えている。収納袋としての汎用袋２４’を裏返すようにして、収納袋の持ち手をそれぞれの突起３４０に引っ掛け、その収納袋を中空ケース３１２に挿入することで、排泄物を取り入れることができる状態になる。取り入れた排泄物を捨てるときには、収納袋の持ち手を突起３４０を外すと、後方の排泄物廃棄用開口部から排泄物を汎用袋ごと捨てることができる。
【００３５】
実施例２乃至実施例４においては、個々の構成要素のバリエーションについて説明したが、それぞれのバリエーションを組合せて排泄物処理具１０を改変したり改良したりすることができる。
【図面の簡単な説明】
【００３６】
【図１】本発明によるペットの排泄物処理具の第１実施例を示す分解斜視図である。
【図２】図１の排泄物処理具の前方下部の拡大斜視図である。
【図３】図１の排泄物処理具との組合せで好適な収納袋の斜視図である。
【図４】収納袋挿入時の排泄物処理具の断面図である。
【図５】排泄物取り込み時の排泄物処理具の断面図である。
【図６】フラップ操作時の排泄物処理具の断面図である。
【図７】ロック機構の他の形態を含む排泄物処理具の第２実施例を示す要部斜視である。
【図８】フラップの他の形態を含む排泄物処理具の第３実施例を示す要部斜視である。。
【図９】収納袋ストッパの他の形態を含む排泄物処理具の第４実施例を示す要部斜視である。
【符号の説明】
【００３７】
１０，１００，２００，３００  ペットの排泄物処理具
１２  中空ケース    
１４  排泄物取入用開口部        １６  排泄物廃棄用開口部
１８  スコップ                  ２０  前蓋
２２  後蓋                      ２４  収納袋
２６  スコップ用のクリップ      ２８  フラップ
３０  ロック機構                ３２  把手
３４  ロッド                    ３６  芯紙
３８  ビニール袋                ４０  収納袋ストッパ
【図１】
2005058169.tif 000003
【図２】
2005058169.tif 000004
【図３】
2005058169.tif 000005
【図４】
2005058169.tif 000006
【図５】
2005058169.tif 000007
【図６】
2005058169.tif 000008
【図７】
2005058169.tif 000009
【図８】
2005058169.tif 000010
【図９】
2005058169.tif 000011